(57)【要約】【課題】装置が大型化するのを抑えつつ、長時間使用しても冷感を持続させることが可能な冷却装置を提供する。【解決手段】冷却装置１は、人の首部に装着される筐体部５と、筐体部５に設けられ、筐体部５が人の首部に装着された状態で当該首部に接触する冷却プレート４１Ｒと、冷却プレート４１Ｒに接合して設けられて冷却プレート４１Ｒを冷却するペルチェ素子と、ペルチェ素子を作動させるための操作が行われる操作部６０とを備え、操作部６０の内部に、ペルチェ素子に供給される電力を所定時間ごとに変化させる制御を行う制御ＩＣを備えた回路基板７０が設けられる。【選択図】図１
0003224564.tif 000002
【実用新案登録請求の範囲】
【請求項１】
人の首部に装着される筐体部と、
前記筐体部に設けられ、前記筐体部が人の首部に装着された状態で当該首部に接触する冷却部材と、
前記冷却部材に接合して設けられて前記冷却部材を冷却するペルチェ素子と、
前記ペルチェ素子を作動させるための操作が行われる操作部とを備え、
前記操作部の内部に、前記ペルチェ素子に供給される電力を所定時間ごとに変化させる制御を行う制御器が設けられることを特徴とする冷却装置。
【請求項２】
前記制御器は、前記ペルチェ素子に供給される電力を所定時間ごとに変化させる第１の制御および、前記ペルチェ素子に供給される電力を一定とする第２の制御のうちいずれかを行うことが可能であり、
前記操作部は、前記第１の制御および前記第２の制御のうちいずれかを選択するための操作が行われる操作スイッチを有することを特徴とする請求項１に記載の冷却装置。
【請求項３】
前記操作部に、前記第１の制御が行われる場合に発光する第１の発光部と、前記第２の制御が行われる場合に発光する第２の発光部とが設けられることを特徴とする請求項２に記載の冷却装置。
【請求項４】
前記ペルチェ素子における前記冷却部材に接合する部分と反対側の部分に接合して設けられたヒートシンクと、
前記ヒートシンクと対向して前記筐体部に取り付けられ、前記ヒートシンクに向けて風を送る送風機とを備えることを特徴とする請求項１〜３のいずれか一項に記載の冷却装置。
【請求項５】
前記筐体部は、
前記筐体部が人の首部に装着された状態で当該首部の後方に位置する後側筐体部と、
前記後側筐体部の左端部に連結され、前記筐体部が人の首部に装着された状態で当該首部の左方に位置する左側筐体部と、
前記後側筐体部の右端部に連結され、前記筐体部が人の首部に装着された状態で当該首部の右方に位置する右側筐体部とを有し、
前記冷却部材は、前記左側筐体部と前記右側筐体部とにそれぞれ設けられ、前記筐体部が人の首部に装着された状態で当該首部の左右に接触し、
前記左側筐体部が左右方向に揺動変位可能に前記後側筐体部の左端部に連結され、前記左側筐体部と前記後側筐体部の左端部との連結部に、前記左側筐体部に対し右方に揺動変位させる付勢力を与える左側付勢部材が設けられ、
前記右側筐体部が左右方向に揺動変位可能に前記後側筐体部の右端部に連結され、前記右側筐体部と前記後側筐体部の右端部との連結部に、前記右側筐体部に対し左方に揺動変位させる付勢力を与える右側付勢部材が設けられることを特徴とする請求項１〜４のいずれか一項に記載の冷却装置。
【考案の詳細な説明】
【技術分野】
【０００１】
本考案は、人の首部に装着して用いられる冷却装置に関する。
【背景技術】
【０００２】
人の首部に装着して用いられる冷却装置として、ペルチェ素子を用いたものが考案されている（例えば、特許文献１を参照）。このような冷却装置は、例えば、人の首部に装着される筐体部と、筐体部の左右に設けられた冷却部材と、冷却部材に接合して設けられたペルチェ素子とを備えている。そして、筐体部が人の首部に装着された状態で、左右の冷却部材が首部の左右に接触して当該首部の冷却を行うようになっている。
【先行技術文献】
【特許文献】
【０００３】
【特許文献１】特許第５２６４６４８号公報
【考案の概要】
【考案が解決しようとする課題】
【０００４】
しかしながら、冷却装置により一定の低い温度で首部の冷却を行うと、人の首部における冷却部材に接触する部分の皮膚感覚が当該低い温度に慣れるため、冷却部材に対する冷感を持続させることが難しかった。
【０００５】
本考案は、このような問題に鑑みてなされたものであり、装置が大型化するのを抑えつつ、長時間使用しても冷感を持続させることが可能な冷却装置を提供することを目的とする。
【課題を解決するための手段】
【０００６】
このような目的達成のため、本考案に係る冷却装置は、人の首部に装着される筐体部と、前記筐体部に設けられ、前記筐体部が人の首部に装着された状態で当該首部に接触する冷却部材（例えば、実施形態における左右の冷却プレート４１Ｌ，４１Ｒ）と、前記冷却部材に接合して設けられて前記冷却部材を冷却するペルチェ素子（例えば、実施形態における左右のペルチェ素子４３Ｌ，４３Ｒ）と、前記ペルチェ素子を作動させるための操作が行われる操作部とを備え、前記操作部の内部に、前記ペルチェ素子に供給される電力を所定時間ごとに変化させる制御を行う制御器（例えば、実施形態における制御ＩＣ７１）が設けられる。
【０００７】
上述の冷却装置において、前記制御器は、前記ペルチェ素子に供給される電力を所定時間ごとに変化させる第１の制御（例えば、実施形態におけるコンフォートモード制御）および、前記ペルチェ素子に供給される電力を一定とする第２の制御（例えば、実施形態におけるハイモード制御およびローモード制御）のうちいずれかを行うことが可能であり、前記操作部は、前記第１の制御および前記第２の制御のうちいずれかを選択するための操作が行われる操作スイッチ（例えば、実施形態における押しボタンスイッチ６２）を有することが好ましい。この場合、前記操作部に、前記第１の制御が行われる場合に発光する第１の発光部（例えば、実施形態におけるコンフォートモード発光部６８）と、前記第２の制御が行われる場合に発光する第２の発光部（例えば、実施形態におけるハイモード発光部６６およびローモード発光部６７）とが設けられることが好ましい。
【０００８】
上述の冷却装置において、前記ペルチェ素子における前記冷却部材に接合する部分と反対側の部分に接合して設けられたヒートシンク（例えば、実施形態における左右のヒート
シンク４６Ｌ，４６Ｒ）と、前記ヒートシンクと対向して前記筐体部に取り付けられ、前記ヒートシンクに向けて風を送る送風機（例えば、実施形態における左右の送風ファン４７Ｌ，４７Ｒ）とを備えることが好ましい。
【０００９】
上述の冷却装置において、前記筐体部は、前記筐体部が人の首部に装着された状態で当該首部の後方に位置する後側筐体部と、前記後側筐体部の左端部に連結され、前記筐体部が人の首部に装着された状態で当該首部の左方に位置する左側筐体部と、前記後側筐体部の右端部に連結され、前記筐体部が人の首部に装着された状態で当該首部の右方に位置する右側筐体部とを有し、前記冷却部材は、前記左側筐体部と前記右側筐体部とにそれぞれ設けられ、前記筐体部が人の首部に装着された状態で当該首部の左右に接触し、前記左側筐体部が左右方向に揺動変位可能に前記後側筐体部の左端部に連結され、前記左側筐体部と前記後側筐体部の左端部との連結部に、前記左側筐体部に対し右方に揺動変位させる付勢力を与える左側付勢部材が設けられ、前記右側筐体部が左右方向に揺動変位可能に前記後側筐体部の右端部に連結され、前記右側筐体部と前記後側筐体部の右端部との連結部に、前記右側筐体部に対し左方に揺動変位させる付勢力を与える右側付勢部材が設けられることが好ましい。
【考案の効果】
【００１０】
本考案によれば、ペルチェ素子を作動させるための操作が行われる操作部の内部に、ペルチェ素子に供給される電力を所定時間ごとに変化させる制御を行う制御器が設けられる。これにより、人の首部における冷却部材に接触する部分の皮膚感覚が一定の低い温度に慣れる前に、ペルチェ素子により冷却される冷却部材の温度を変化させることができる。そのため、操作部の内部に制御器を設けることで、装置が大型化するのを抑えつつ、冷却装置を長時間使用しても冷感を持続させることが可能になる。
【００１１】
上述の冷却装置において、操作部は、ペルチェ素子に供給される電力を所定時間ごとに変化させる第１の制御および、ペルチェ素子に供給される電力を一定とする第２の制御のうちいずれかを選択するための操作が行われる操作スイッチを有することが好ましい。ペルチェ素子に供給される電力に関して異なる制御方法を選択できるようにすることで、ユーザーの好みに応じて、冷却部材に対する冷感を調整することが可能になる。この場合、操作部に、第１の制御が行われる場合に発光する第１の発光部と、第２の制御が行われる場合に発光する第２の発光部とが設けられることが好ましい。これにより、第１の制御および第２の制御のうち、どの制御が行われているかを容易に知ることができる。
【００１２】
上述の冷却装置は、ペルチェ素子に接合して設けられたヒートシンクと、ヒートシンクに向けて風を送る送風機とを備えることが好ましい。これにより、簡便な構成で、ペルチェ素子による冷却部材の冷却効果を高めることができる。
【００１３】
上述の冷却装置において、左側筐体部と後側筐体部の左端部との連結部に、左側筐体部に対し右方に揺動変位させる付勢力を与える左側付勢部材が設けられ、右側筐体部と後側筐体部の右端部との連結部に、右側筐体部に対し左方に揺動変位させる付勢力を与える右側付勢部材が設けられることが好ましい。これにより、筐体部が人の首部に装着された状態で、当該首部の左右に接触した冷却部材が首部から離れるのを防止することができる。
【図面の簡単な説明】
【００１４】
【図１】冷却装置を後方から見た斜視図である。
【図２】冷却装置を前方から見た斜視図である。
【図３】冷却装置にけるストラップ取付穴部の近傍を示す拡大斜視図である。
【図４】冷却装置の平面図（部分断面図）である。
【図５】後側筐体部が左右方向に伸長した状態の冷却装置の平面図である。
【図６】左側筐体部が内向き位置に変位した状態の冷却装置の平面図である。
【図７】後側筐体部が左右方向に伸長し、左筐体部が内向き位置に変位した状態の冷却装置の平面図である。
【図８】冷却装置における連結部の近傍を示す拡大斜視図である。
【図９】操作部の分解斜視図である。
【図１０】冷却装置の各部における電気的な接続を示す模式図である。
【考案を実施するための形態】
【００１５】
以下、本考案の実施形態について、図面を参照しながら説明する。本考案を適用した一実施形態として、人の首部に装着して用いられるネッククーラーとも称される冷却装置１について、図１〜図１０を参照しながら説明する。なお、説明の便宜上、図１に付記する矢印の方向を前後、左右および上下と定義して以下の説明を行う。冷却装置１は、図１に示すように、筐体部５と、筐体部５の後側に接続された電源ケーブル５０と、電源ケーブル５０の中間部に設けられた操作部６０とを備えて構成される。
【００１６】
筐体部５は、図１および図４に示すように、後側筐体部１０と、後側筐体部１０の左端部に連結された左側筐体部３０Ｌと、後側筐体部１０の右端部に連結された右側筐体部３０Ｒとから構成され、人の首部ＮＫに装着されるようになっている。なお、人の首部ＮＫは、大きさや形状等に個人差があるため、図４および図５において二点鎖線で簡略化して示す。後側筐体部１０は、筐体部５が人の首部ＮＫに装着された状態で当該首部ＮＫの後方に位置する。左側筐体部３０Ｌは、筐体部５が人の首部ＮＫに装着された状態で当該首部ＮＫの左方に位置する。右側筐体部３０Ｒは、筐体部５が人の首部ＮＫに装着された状態で当該首部ＮＫの右方に位置する。
【００１７】
後側筐体部１０は、図１および図２に示すように、ベース部材１１と、左アーム部材２１Ｌと、右アーム部材２１Ｒとを有して構成される。ベース部材１１は、図４および図５に示すように、左右方向に延びるとともに中央側が後方に凹むように湾曲した円弧状に形成される。ベース部材１１の左側に、左アーム部材２１Ｌが入れ子式に組み合わされ、ベース部材１１の右側に、右アーム部材２１Ｒが入れ子式に組み合わされる。左アーム部材２１Ｌおよび右アーム部材２１Ｒをベース部材１１に対して相対移動させることで、後側筐体部１０を左右方向に延びる円弧に沿って伸縮させることができるようになっている。図１に示すように、ベース部材１１の中央下部に、電源ケーブル５０の一方の端部を収容するケーブル収容部１２が形成される。ケーブル収容部１２に収容された電源ケーブル５０の一方の端部は、ケーブル収容部１２の内部に取り付けられた中継基板１６（図１０を参照）と電気的に接続される。
【００１８】
なお、入れ子式に組み合わされたベース部材１１の左側部分と左アーム部材２１Ｌの内側に、左側筐体部３０Ｌに設けられた電気部品（後述の左側ペルチェ素子４３Ｌおよび左側送風ファン４７Ｌ等）と中継基板１６とに繋がるケーブル（図示せず）が挿通される。また、入れ子式に組み合わされたベース部材１１の右側部分と右アーム部材２１Ｒの内側に、右側筐体部３０Ｒに設けられた電気部品（後述の右側ペルチェ素子４３Ｒおよび右側送風ファン４７Ｒ等）と中継基板１６とに繋がるケーブル（図示せず）が挿通される。
【００１９】
図２および図３に示すように、ケーブル収容部１２の右前部に、ケーブル収容部１２の右端面と前面とに亘って貫通した角穴状のストラップ取付穴部１３が形成される。ストラップ取付穴部１３には、ストラップ等のひも状部材（図示せず）を挿通させて取り付けることできるようになっている。ベース部材１１の中央前部に、調整パーツ取付穴部１４が形成される。調整パーツ取付穴部１４には、調整パーツ１９（図６を参照）のボス部が挿脱可能に嵌合するようになっている。
【００２０】
図６および図７に示すように、後側筐体部１０（ベース部材１１）の前面中央側に、調整パーツ１９を取り付けることが可能である。調整パーツ１９は、ベース部材１１および左右のアーム部材２１Ｌ，２１Ｒよりも曲率半径の小さい円弧状に形成される。調整パーツ１９の後部に形成されたボス部（図示せず）を、ベース部材１１の調整パーツ取付穴部１４に嵌合させることで、調整パーツ１９が後側筐体部１０の前面中央側に着脱可能に取り付けられる。後側筐体部１０に取り付けられた、調整パーツ１９の前面中央部から左側筐体部３０Ｌおよび右側筐体部３０Ｒまでの前後方向の距離は、後側筐体部１０（ベース部材１１）の前面中央部から左側筐体部３０Ｌおよび右側筐体部３０Ｒまでの前後方向の距離よりも小さくなる。そのため、調整パーツ１９が後側筐体部１０に取り付けられた状態では、例えば子供のような小さい人の首部に筐体部５（すなわち、冷却装置１）を装着することが容易になる。
【００２１】
左アーム部材２１Ｌは、図４および図５に示すように、ベース部材１１の左側部分に合わせて湾曲した円弧状に形成される。左アーム部材２１Ｌは、ベース部材１１の左側部分と重なる左側縮小位置（図４を参照）と、当該左側縮小位置よりも左側に位置する左側伸長位置（図５を参照）との間で、左右方向に延びる円弧に沿ってスライド移動できるようになっている。図３および図８に示すように、左アーム部材２１Ｌの左端部に、左アーム側連結部２２Ｌが形成される。左アーム側連結部２２Ｌは、ヒンジ軸部２３Ｌを介して、左側筐体部３０Ｌの左ケース側連結部３２Ｌとヒンジ連結される。
【００２２】
右アーム部材２１Ｒは、図４および図５に示すように、ベース部材１１の右側部分に合わせて湾曲した円弧状に形成される。なお、右アーム部材２１Ｒは、左アーム部材２１Ｌと左右対称に形成される。右アーム部材２１Ｒは、ベース部材１１の右側部分と重なる右側縮小位置（図４を参照）と、当該右側縮小位置よりも右側に位置する右側伸長位置（図５を参照）との間で、左右方向に延びる円弧に沿ってスライド移動できるようになっている。図２に示すように、右アーム部材２１Ｒの右端部に、右アーム側連結部２２Ｒが形成される。右アーム側連結部２２Ｒは、ヒンジ軸部（図示せず）を介して、右側筐体部３０Ｒの右ケース側連結部３２Ｒとヒンジ連結される。
【００２３】
図５に示すように、左アーム部材２１Ｌを左側伸長位置へスライド移動させるとともに、右アーム部材２１Ｒを右側伸長位置へスライド移動させることで、後側筐体部１０を左右方向に延びる円弧に沿って伸長させることができる。一方、図４に示すように、左アーム部材２１Ｌを左側縮小位置へスライド移動させるとともに、右アーム部材２１Ｒを右側縮小位置へスライド移動させることで、後側筐体部１０を元の大きさに縮小させることができる。後側筐体部１０が伸長した状態では、後側筐体部１０が縮小した状態よりも、左側筐体部３０Ｌと右側筐体部３０Ｒとの間隔を大きくすることができるため、比較的大きい人の首部ＮＫに筐体部５（すなわち、冷却装置１）を装着することが容易になる。
【００２４】
左側筐体部３０Ｌは、図１、図２、および図４に示すように、左ケース部材３１Ｌを有して構成される。左ケース部材３１Ｌは、右側部が大きく開口した箱状に形成される。左ケース部材３１Ｌの後端部に、左ケース側連結部３２Ｌが形成される。左ケース側連結部３２Ｌは、前述したように、ヒンジ軸部２３Ｌを介して、後側筐体部１０（左アーム部材２１Ｌ）の左アーム側連結部２２Ｌとヒンジ連結される。これにより、左側筐体部３０Ｌは、後側筐体部１０の左端部に左右方向に揺動変位可能に連結される。
【００２５】
なお、左側筐体部３０Ｌは、左側筐体部３０Ｌの先端部（前端部）が前方を向く（左側の）前向き位置（図４を参照）から、左側筐体部３０Ｌの先端部が右方を向く（左側の）内向き位置（図６を参照）まで揺動変位することが可能である。また、左側筐体部３０Ｌは、図７に示すように、後側筐体部１０が伸長した状態においても、上述の前向き位置から内向き位置まで揺動変位することが可能である。図８に示すように、左側筐体部３０Ｌ
における左ケース部材３１Ｌの左ケース側連結部３２Ｌと、後側筐体部１０における左アーム部材２１Ｌの左アーム側連結部２２Ｌとに跨って、左側付勢部材２６Ｌが取り付けられる。左側付勢部材２６Ｌは、例えば、ねじりコイルばねを用いて構成され、左側筐体部３０Ｌに対し右方に揺動変位させる付勢力を与える。これにより、筐体部５が人の首部ＮＫに装着された状態で、当該首部ＮＫの左側に接触した左側冷却プレート４１Ｌが首部ＮＫから離れるのを防止することができる。
【００２６】
左ケース部材３１Ｌの左側部に、左外側通気口部３３Ｌが形成される。左外側通気口部３３Ｌは、前後方向に複数並んだ長方形状の小孔を有して構成される。左ケース部材３１Ｌの上部に、左上側通気口部３４Ｌが形成される。左上側通気口部３４Ｌは、前後方向に複数並んだ長方形状の小孔を有して構成される。左ケース部材３１Ｌの下部に、左下側通気口部（図示せず）が形成される。左下側通気口部は、左上側通気口部３４Ｌと同様に、前後方向に複数並んだ長方形状の小孔を有して構成される。左ケース部材３１Ｌの前部に、左前側通気口部３６Ｌが形成される。左前側通気口部３６Ｌは、左右方向に複数並んだ長方形状の小孔を有して構成される。左ケース部材３１Ｌの後部に、左後側通気口部３７Ｌが形成される。左後側通気口部３７Ｌは、左右方向に複数並んだ長方形状の小孔を有して構成される。
【００２７】
図４に示すように、左ケース部材３１Ｌの右側部に、左側冷却プレート４１Ｌが配設される。また、左ケース部材３１Ｌの内部に、左側ペルチェ素子４３Ｌと、左側ヒートシンク４６Ｌと、左側送風ファン４７Ｌとが配設される。
【００２８】
左側冷却プレート４１Ｌは、アルミニウム等の熱伝導性の高い金属材料を用いて、左ケース部材３１Ｌの右側部の開口形状に合わせた板状に形成される。左側冷却プレート４１Ｌは、左ケース部材３１Ｌの右側部に取り付けられて、左ケース部材３１Ｌの右側部の開口部分を塞ぐようになっている。左ケース部材３１Ｌの外方を向く左側冷却プレート４１Ｌの右側面は、筐体部５が人の首部ＮＫに装着された状態で当該首部の左側（具体的には、当該首部の左側における太い血管の近傍の皮膚）に接触する。左ケース部材３１Ｌの内方を向く左側冷却プレート４１Ｌの左側面は、左側ペルチェ素子４３Ｌの冷却側の面と接合するようになっている。
【００２９】
左側ペルチェ素子４３Ｌは、左側冷却プレート４１Ｌの左側面、すなわち、人の首部ＮＫに接触する側と反対側の面に接合して設けられる。左側ペルチェ素子４３Ｌは、前述の中継基板１６を介して、電源ケーブル５０と電気的に接続される（図１０を参照）。前述したように、左側ペルチェ素子４３Ｌの冷却側の面は、左側冷却プレート４１Ｌの左側面と接合する。これにより、左側ペルチェ素子４３Ｌは、電源ケーブル５０および中継基板１６を介した電力の供給を受けて、左側冷却プレート４１Ｌを冷却する。左側ペルチェ素子４３Ｌの放熱側の面は、左側ヒートシンク４６Ｌの底面と接合するようになっている。
【００３０】
左側ヒートシンク４６Ｌは、左側ペルチェ素子４３Ｌの放熱側の面（左側の面）に接合して設けられる。左側ヒートシンク４６Ｌは、アルミニウム等の熱伝導性の高い金属材料を用いて、複数の放熱フィン（図示せず）を有する板状に形成される。左ケース部材３１Ｌの内部における左側ヒートシンク４６Ｌの左方に、左側送風ファン４７Ｌが配設される。
【００３１】
左側送風ファン４７Ｌは、左側ヒートシンク４６Ｌと対向して左ケース部材３１Ｌの左側部の内面側に取り付けられる。左側送風ファン４７Ｌは、前述の中継基板１６を介して、電源ケーブル５０と電気的に接続される（図１０を参照）。左側送風ファン４７Ｌは、左外側通気口部３３Ｌを通じて左ケース部材３１Ｌの外部から空気を取り込んで、左側ヒートシンク４６Ｌに向けて右方に風を送る。左側送風ファン４７Ｌから送られる風は、左
側ヒートシンク４６Ｌに当たって向きを変え、左上側通気口部３４Ｌ、左下側通気口部（図示せず）、左前側通気口部３６Ｌ、および左後側通気口部３７Ｌのうちいずれかを通って、左ケース部材３１Ｌの外部に排出される。これにより、左側ペルチェ素子４３Ｌの放熱側の面から放熱される熱を左側筐体部３０Ｌ（左ケース部材３１Ｌ）の外部に逃がすことができる。
【００３２】
右側筐体部３０Ｒは、図１、図２、および図４に示すように、右ケース部材３１Ｒを有して構成される。なお、右側筐体部３０Ｒは、左側筐体部３０Ｌと左右対称に構成される。右ケース部材３１Ｒは、左側部が大きく開口した箱状に形成される。右ケース部材３１Ｒの後端部に、右ケース側連結部３２Ｒが形成される。右ケース側連結部３２Ｒは、前述したように、ヒンジ軸部（図示せず）を介して、後側筐体部１０（右アーム部材２１Ｒ）の右アーム側連結部２２Ｒとヒンジ連結される。これにより、右側筐体部３０Ｒは、後側筐体部１０の右端部に左右方向に揺動変位可能に連結される。
【００３３】
左側筐体部３０Ｌと同様に、右側筐体部３０Ｒは、右側筐体部３０Ｒの先端部（前端部）が前方を向く（右側の）前向き位置（図４を参照）から、右側筐体部３０Ｒの先端部が左方を向く（右側の）内向き位置まで揺動変位することが可能である。また、右側筐体部３０Ｒは、後側筐体部１０が伸長した状態においても、上述の前向き位置から内向き位置まで揺動変位することが可能である。右側筐体部３０Ｒにおける右ケース部材３１Ｒの右ケース側連結部３２Ｒと、後側筐体部１０における右アーム部材２１Ｒの右アーム側連結部２２Ｒとに跨って、右側付勢部材（図示せず）が取り付けられる。右側付勢部材は、左側付勢部材２６Ｌと同様に構成され、右側筐体部３０Ｒに対し左方に揺動変位させる付勢力を与える。これにより、筐体部５が人の首部ＮＫに装着された状態で、当該首部ＮＫの右側に接触した右側冷却プレート４１Ｒが首部ＮＫから離れるのを防止することができる。
【００３４】
右ケース部材３１Ｒの右側部に、右外側通気口部３３Ｒが形成される。右外側通気口部３３Ｒは、前後方向に複数並んだ長方形状の小孔を有して構成される。右ケース部材３１Ｒの上部に、右上側通気口部３４Ｒが形成される。右上側通気口部３４Ｒは、前後方向に複数並んだ長方形状の小孔を有して構成される。右ケース部材３１Ｒの下部に、右下側通気口部（図示せず）が形成される。右下側通気口部は、右上側通気口部３４Ｒと同様に、前後方向に複数並んだ長方形状の小孔を有して構成される。右ケース部材３１Ｒの前部に、右前側通気口部３６Ｒが形成される。右前側通気口部３６Ｒは、左右方向に複数並んだ長方形状の小孔を有して構成される。右ケース部材３１Ｒの後部に、右後側通気口部３７Ｒが形成される。右後側通気口部３７Ｒは、左右方向に複数並んだ長方形状の小孔を有して構成される。
【００３５】
図４に示すように、右ケース部材３１Ｒの左側部に、右側冷却プレート４１Ｒが配設される。また、右ケース部材３１Ｒの内部に、右側ペルチェ素子４３Ｒと、右側ヒートシンク４６Ｒと、右側送風ファン４７Ｒとが配設される。
【００３６】
右側冷却プレート４１Ｒは、アルミニウム等の熱伝導性の高い金属材料を用いて、右ケース部材３１Ｒの左側部の開口形状に合わせた板状に形成される。右側冷却プレート４１Ｒは、右ケース部材３１Ｒの左側部に取り付けられて、右ケース部材３１Ｒの左側部の開口部分を塞ぐようになっている。右ケース部材３１Ｒの外方を向く右側冷却プレート４１Ｒの左側面は、筐体部５が人の首部ＮＫに装着された状態で当該首部の右側（具体的には、当該首部の右側における太い血管の近傍の皮膚）に接触する。右ケース部材３１Ｒの内方を向く右側冷却プレート４１Ｒの右側面は、右側ペルチェ素子４３Ｒの冷却側の面と接合するようになっている。
【００３７】
右側ペルチェ素子４３Ｒは、右側冷却プレート４１Ｒの右側面、すなわち、人の首部ＮＫに接触する側と反対側の面に接合して設けられる。右側ペルチェ素子４３Ｒは、前述の中継基板１６を介して、電源ケーブル５０と電気的に接続される（図１０を参照）。前述したように、右側ペルチェ素子４３Ｒの冷却側の面は、右側冷却プレート４１Ｒの右側面と接合する。これにより、右側ペルチェ素子４３Ｒは、電源ケーブル５０および中継基板１６を介した電力の供給を受けて、右側冷却プレート４１Ｒを冷却する。右側ペルチェ素子４３Ｒの放熱側の面は、右側ヒートシンク４６Ｒの底面と接合するようになっている。
【００３８】
右側ヒートシンク４６Ｒは、右側ペルチェ素子４３Ｒの放熱側の面（右側の面）に接合して設けられる。右側ヒートシンク４６Ｒは、アルミニウム等の熱伝導性の高い金属材料を用いて、複数の放熱フィン（図示せず）を有する板状に形成される。右ケース部材３１Ｒの内部における右側ヒートシンク４６Ｒの右方に、右側送風ファン４７Ｒが配設される。
【００３９】
右側送風ファン４７Ｒは、右側ヒートシンク４６Ｒと対向して右ケース部材３１Ｒの右側部の内面側に取り付けられる。右側送風ファン４７Ｒは、前述の中継基板１６を介して、電源ケーブル５０と電気的に接続される（図１０を参照）。右側送風ファン４７Ｒは、右外側通気口部３３Ｒを通じて右ケース部材３１Ｒの外部から空気を取り込んで、右側ヒートシンク４６Ｒに向けて左方に風を送る。右側送風ファン４７Ｒから送られる風は、右側ヒートシンク４６Ｒに当たって向きを変え、右上側通気口部３４Ｒ、右下側通気口部（図示せず）、右前側通気口部３６Ｒ、および右後側通気口部３７Ｒのうちいずれかを通って、右ケース部材３１Ｒの外部に排出される。これにより、右側ペルチェ素子４３Ｒの放熱側の面から放熱される熱を右側筐体部３０Ｒ（右ケース部材３１Ｒ）の外部に逃がすことができる。
【００４０】
前述したように、電源ケーブル５０の一方の端部は、後側筐体部１０（ベース部材１１）のケーブル収容部１２に収容され、ケーブル収容部１２の内部に取り付けられた中継基板１６（図１０を参照）と電気的に接続される。具体的には、図１０に示すように、電源ケーブル５０の電源線５１が、中継基板１６に設けられた電源側中継端子１７と電気的に接続され、電源ケーブル５０のグランド線５２が、中継基板１６に設けられたグランド側中継端子１８と電気的に接続される。
【００４１】
電源ケーブル５０の他方の端部には、ＵＳＢコネクタ５５（USB：Universal  Serial  Bus）が設けられる。ＵＳＢコネクタ５５は、モバイルバッテリーのＵＳＢポートや、パ
ーソナルコンピュータのＵＳＢポート等、外部電源に設けられたＵＳＢポート（図示せず）に嵌合接続される。電源ケーブル５０の中間部には、冷却装置１を作動させるための操作が行われる操作部６０が設けられる。
【００４２】
なお、中継基板１６の電源側中継端子１７には、左側送風ファン４７Ｌの電源側の端子から延びる電源側接続ケーブル４８Ｌと、右側送風ファン４７Ｒの電源側の端子から延びる電源側接続ケーブル４８Ｒと、右側ペルチェ素子４３Ｒの電源側の端子から延びる電源側接続ケーブル４４Ｒとが電気的に接続される。中継基板１６のグランド側中継端子１８には、左側送風ファン４７Ｌのグランド側の端子から延びるグランド側接続ケーブル４９Ｌと、右側送風ファン４７Ｒのグランド側の端子から延びるグランド側接続ケーブル４９Ｒと、左側ペルチェ素子４３Ｌのグランド側の端子から延びるグランド側接続ケーブル４４Ｌとが電気的に接続される。また、左側ペルチェ素子４３Ｌの電源側の端子と右側ペルチェ素子４３Ｒのグランド側の端子とが、素子接続ケーブル４５を介して電気的に接続される。
【００４３】
これにより、左右のペルチェ素子４３Ｌ，４３Ｒおよび送風ファン４７Ｌ，４７Ｒは、
中継基板１６を介して電源ケーブル５０と電気的に接続され、左右のペルチェ素子４３Ｌ，４３Ｒおよび送風ファン４７Ｌ，４７Ｒには、電源ケーブル５０（および中継基板１６）を介して外部電源（図示せず）から電力が供給される。なお、左側ペルチェ素子４３Ｌと右側ペルチェ素子４３Ｒとを直列に接続することで、左側ペルチェ素子４３Ｌおよび右側ペルチェ素子４３Ｒの消費電力を抑えている。
【００４４】
図１および図９に示すように、操作部６０は、スイッチ本体６１と、押しボタンスイッチ６２と、ハイモード発光部６６と、ローモード発光部６７と、コンフォートモード発光部６８と、回路基板７０とを有して構成される。スイッチ本体６１は、回路基板７０を内部に収容可能な薄い箱状に形成される。スイッチ本体６１の内部に、回路基板７０が取り付けられる。
【００４５】
回路基板７０には、電源ケーブル５０の一方側の部分と、電源ケーブル５０の他方側の部分とが電気的に接続される。回路基板７０の実装面に、制御ＩＣ７１（IC：Integrated
Circuit）と、ハイモード用ＬＥＤ７６（LED：Light  Emitting  Diode）と、ローモード用ＬＥＤ７７と、コンフォートモード用ＬＥＤ７８とが実装される。制御ＩＣ７１は、ＰＷＭ制御（PWM：Pulse  Width  Modulation）により、電源ケーブル５０を介して左右
のペルチェ素子４３Ｌ，４３Ｒおよび送風ファン４７Ｌ，４７Ｒに供給される電力を制御する。制御ＩＣ７１は、電力の制御として、ハイモード制御、ローモード制御、およびコンフォートモード制御のうち、いずれかを選択して行うことが可能である。
【００４６】
ここで、ハイモード制御とは、左右のペルチェ素子４３Ｌ，４３Ｒおよび送風ファン４７Ｌ，４７Ｒに供給される電力を最大の（１００％の）電力で一定とする制御である。ローモード制御とは、左右のペルチェ素子４３Ｌ，４３Ｒおよび送風ファン４７Ｌ，４７Ｒに供給される電力を（最大の電力に対し）６０％の電力で一定とする制御である。コンフォートモード制御とは、左右のペルチェ素子４３Ｌ，４３Ｒおよび送風ファン４７Ｌ，４７Ｒに供給される電力を、最大の（１００％の）電力、（最大の電力に対し）８０％の電力、（最大の電力に対し）６０％の電力、最大の（１００％の）電力…の順に、所定時間ごとに繰り返し変化させる制御である。なお、この所定時間は、人の首部における左右の冷却プレート４１Ｌ，４１Ｒに接触する部分の皮膚感覚が一定の低い温度に慣れるまでの時間として、例えば３０秒に設定される。
【００４７】
ハイモード用ＬＥＤ７６は、回路基板７０におけるハイモード発光部６６と対向する部分に配設される。ローモード用ＬＥＤ７７は、回路基板７０におけるローモード発光部６７と対向する部分に配設される。コンフォートモード用ＬＥＤ７８は、回路基板７０におけるコンフォートモード発光部６８と対向する部分に配設される。
【００４８】
押しボタンスイッチ６２は、スイッチ本体６１の天井部に配設され、ハイモード制御、ローモード制御、およびコンフォートモード制御のうち、いずれかを選択するための操作が行われる。具体的には、押しボタンスイッチ６２に対して押し操作を行うことにより、制御ＩＣ７１による電力の制御を、ハイモード制御、ローモード制御、コンフォートモード制御、ハイモード制御…の順に、繰り返し選択的に切り替えることができるようになっている。また、押しボタンスイッチ６２に対して通常よりも長時間の長押し操作を行うことにより、左右のペルチェ素子４３Ｌ，４３Ｒおよび送風ファン４７Ｌ，４７Ｒへの電力供給を遮断できるようになっている。
【００４９】
ハイモード発光部６６、ローモード発光部６７、およびコンフォートモード発光部６８は、スイッチ本体６１の天井部に直線状に並んで配設される。ハイモード発光部６６、ローモード発光部６７、およびコンフォートモード発光部６８は、透光性を有する樹脂材料等を用いて円盤状に形成される。ハイモード発光部６６は、制御ＩＣ７１によりハイモー
ド制御が行われる場合に、回路基板７０のハイモード用ＬＥＤ７６に照明されて発光する。ローモード発光部６７は、制御ＩＣ７１によりローモード制御が行われる場合に、回路基板７０のローモード用ＬＥＤ７７に照明されて発光する。コンフォートモード発光部６８は、制御ＩＣ７１によりコンフォートモード制御が行われる場合に、回路基板７０のコンフォートモード用ＬＥＤ７８に照明されて発光する。これにより、ハイモード制御、ローモード制御、およびコンフォートモード制御のうち、どの制御が行われているかを容易に知ることができる。
【００５０】
以上のように構成される冷却装置１を使用する際、例えば図４に示すように、冷却装置１の筐体部５を人の首部ＮＫに装着する。筐体部５が人の首部ＮＫに装着された状態で、当該首部ＮＫの左側に、左側筐体部３０Ｌに設けられた左側冷却プレート４１Ｌを接触させ、当該首部ＮＫの右側に、右側筐体部３０Ｒに設けられた右側冷却プレート４１Ｒを接触させる。そして、押しボタンスイッチ６２に対して押し操作を行うことにより、ハイモード制御、ローモード制御、およびコンフォートモード制御のうちいずれかを選択する。そうすると、左右のペルチェ素子４３Ｌ，４３Ｒおよび送風ファン４７Ｌ，４７Ｒに、電源ケーブル５０（および中継基板１６）を介して外部電源（図示せず）から電力が供給される。左右のペルチェ素子４３Ｌ，４３Ｒは、左右の冷却プレート４１Ｌ，４１Ｒを冷却し、左右の送風ファン４７Ｌ，４７Ｒは、左右のヒートシンク４６Ｌ，４６Ｒに向けて風を送る。このとき、人の首部ＮＫの左右に、左右の冷却プレート４１Ｌ，４１Ｒが接触しているため、左右のペルチェ素子４３Ｌ，４３Ｒの作動により、左右の冷却プレート４１Ｌ，４１Ｒを介して当該首部ＮＫが冷却される。
【００５１】
押しボタンスイッチ６２の操作によりハイモード制御が選択される場合、左右のペルチェ素子４３Ｌ，４３Ｒおよび送風ファン４７Ｌ，４７Ｒに供給される電力が、最大の（１００％の）電力で一定となるため、左右のペルチェ素子４３Ｌ，４３Ｒにより冷却される左右の冷却プレート４１Ｌ，４１Ｒの温度は、ほぼ一定の温度となる。押しボタンスイッチ６２の操作によりローモード制御が選択される場合、左右のペルチェ素子４３Ｌ，４３Ｒおよび送風ファン４７Ｌ，４７Ｒに供給される電力が、（最大の電力に対し）６０％の電力で一定となるため、左右のペルチェ素子４３Ｌ，４３Ｒにより冷却される左右の冷却プレート４１Ｌ，４１Ｒの温度は、ハイモード制御の場合よりも高いほぼ一定の温度となる。
【００５２】
押しボタンスイッチ６２の操作によりコンフォートモード制御が選択される場合、左右のペルチェ素子４３Ｌ，４３Ｒおよび送風ファン４７Ｌ，４７Ｒに供給される電力が、最大の（１００％の）電力、（最大の電力に対し）８０％の電力、（最大の電力に対し）６０％の電力、最大の（１００％の）電力…の順に、所定時間ごとに繰り返し変化する。そのため、左右のペルチェ素子４３Ｌ，４３Ｒにより冷却される左右の冷却プレート４１Ｌ，４１Ｒの温度は、ハイモード制御の場合の温度とローモード制御の場合の温度との間で、所定時間ごとに変化する。コンフォートモード制御においては、人の首部ＮＫにおける左右の冷却プレート４１Ｌ，４１Ｒに接触する部分の皮膚感覚が一定の低い温度に慣れる前に、左右の冷却プレート４１Ｌ，４１Ｒの温度が変化するため、冷却装置１を長時間使用しても、左右の冷却プレート４１Ｌ，４１Ｒに対する冷感が持続される。
【００５３】
このように、本実施形態によれば、左右のペルチェ素子４３Ｌ，４３Ｒを作動させるための操作が行われる操作部６０の内部に、左右のペルチェ素子４３Ｌ，４３Ｒに供給される電力を所定時間ごとに変化させるコンフォートモード制御を行う制御ＩＣ７１を備えた回路基板７０が設けられる。これにより、人の首部ＮＫにおける左右の冷却プレート４１Ｌ，４１Ｒに接触する部分の皮膚感覚が一定の低い温度に慣れる前に、左右のペルチェ素子４３Ｌ，４３Ｒにより冷却される左右の冷却プレート４１Ｌ，４１Ｒの温度を変化させることができる。そのため、操作部６０の内部に、制御ＩＣ７１を備えた回路基板７０を
設けることで、装置が大型化するのを抑えつつ、冷却装置１を長時間使用しても冷感を持続させることが可能になる。
【００５４】
上述の冷却装置１において、操作部６０は、左右のペルチェ素子４３Ｌ，４３Ｒに供給される電力を一定とするハイモード制御、左右のペルチェ素子４３Ｌ，４３Ｒに供給される電力を一定とするローモード制御、および左右のペルチェ素子４３Ｌ，４３Ｒに供給される電力を所定時間ごとに変化させるコンフォートモード制御のうち、いずれかを選択するための操作が行われる押しボタンスイッチ６２を有することが好ましい。左右のペルチェ素子４３Ｌ，４３Ｒに供給される電力に関して異なる制御方法を選択できるようにすることで、ユーザーの好みに応じて、左右の冷却プレート４１Ｌ，４１Ｒに対する冷感を調整することが可能になる。この場合、操作部６０に、ハイモード制御が行われる場合に発光するハイモード発光部６６と、ローモード制御が行われる場合に発光するローモード発光部６７と、コンフォートモード制御が行われる場合に発光するコンフォートモード発光部６８とが設けられることが好ましい。これにより、ハイモード制御、ローモード制御、およびコンフォートモード制御のうち、どの制御が行われているかを容易に知ることができる。
【００５５】
また、冷却装置１は、左右のペルチェ素子４３Ｌ，４３Ｒに接合して設けられた左右のヒートシンク４６Ｌ，４６Ｒと、左右のヒートシンク４６Ｌ，４６Ｒに向けて風を送る左右の送風ファン４７Ｌ，４７Ｒとを備えることが好ましい。これにより、簡便な構成で、左右のペルチェ素子４３Ｌ，４３Ｒによる左右の冷却プレート４１Ｌ，４１Ｒの冷却効果を高めることができる。
【００５６】
上述の冷却装置１において、左側筐体部３０Ｌと後側筐体部１０の左端部との連結部に、左側筐体部３０Ｌに対し右方に揺動変位させる付勢力を与える左側付勢部材２６Ｌが設けられ、右側筐体部３０Ｒと後側筐体部１０の右端部との連結部に、右側筐体部３０Ｒに対し左方に揺動変位させる付勢力を与える右側付勢部材（図示せず）が設けられることが好ましい。これにより、筐体部５が人の首部ＮＫに装着された状態で、当該首部ＮＫの左右に接触した冷却プレート４１Ｌ，４１Ｒが首部ＮＫから離れるのを防止することができる。
【００５７】
なお、上述の実施形態において、制御ＩＣ７１は、ハイモード制御、ローモード制御、およびコンフォートモード制御のうち、いずれかを選択して行うように構成されているが、これに限られるものではない。例えば、制御ＩＣ７１は、ハイモード制御およびコンフォートモード制御のうちいずれかを選択して行うように構成されてもよく、ローモード制御およびコンフォートモード制御のうちいずれかを選択して行うように構成されてもよい。また例えば、制御ＩＣ７１は、コンフォートモード制御のみを行うように構成されてもよい。
【００５８】
上述の実施形態において、操作部６０は、電源ケーブル５０の中間部に設けられているが、これに限られるものではなく、例えば、後側筐体部１０におけるベース部材１１の中央部後面側に一体的に設けられてもよい。
【００５９】
上述の実施形態において、操作部６０は、操作スイッチとして、押しボタンスイッチ６２を有して構成されているが、これに限られるものではなく、例えば、セレクタスイッチを有して構成されてもよい。
【符号の説明】
【００６０】
１    冷却装置
５    筐体部
１０    後側筐体部
２２Ｌ  左アーム側連結部                ２２Ｒ  右アーム側連結部
２６Ｌ  左側付勢部材
３０Ｌ  左側筐体部                      ３０Ｒ  右側筐体部
３２Ｌ  左ケース側連結部                ３２Ｒ  右ケース側連結部
４１Ｌ  左側冷却プレート                ４１Ｒ  右側冷却プレート
４３Ｌ  左側ペルチェ素子                ４３Ｒ  右側ペルチェ素子
４６Ｌ  左側ヒートシンク                ４６Ｒ  右側ヒートシンク
４７Ｌ  左側送風ファン                  ４７Ｒ  右側送風ファン
６０    操作部
６２    押しボタンスイッチ
６６    ハイモード発光部
６７    ローモード発光部
６８    コンフォートモード発光部
７０    回路基板
７１    制御ＩＣ
ＮＫ    首部
【図１】
0003224564.tif 000003
【図２】
0003224564.tif 000004
【図３】
0003224564.tif 000005
【図４】
0003224564.tif 000006
【図５】
0003224564.tif 000007
【図６】
0003224564.tif 000008
【図７】
0003224564.tif 000009
【図８】
0003224564.tif 000010
【図９】
0003224564.tif 000011
【図１０】
0003224564.tif 000012